(57)【要約】      （修正有）【課題】靴内部、爪先での指の間を隔離し、水虫の予防、改善をする足指隔離ボードを提供する。【解決手段】ゴム皮膜１ａ及び１ｂを以てスポンジ２を挟み、隔離の為の強度、及び通気性、緩衝性を持つボードを構成し、横長の楕円に近い形状に加工する。このボードの横方向に並んだ３つの穴を開け、それぞれ足の人差指、中指および薬指に対応させる。ボードの長手方向の両端部は、ボードの中方向の中央部に向けやや凹ませて、足の親指と小指に対応させる。対応する部分をそれぞれ各指にさし込んで、指間の寸法を隔離する。【選択図】図３
0003144135.tif 000002
【実用新案登録請求の範囲】
強度を得る事を目的とした高弾性のゴム皮膜と、通気性、緩衝性を得る事を目的とした軟質、多孔性のスポンジを組み合わせ、強度、通気性、緩衝性を同時に実現し、此を当該考案に於ける図面の表示形状に加工し、前述の性質、及び形状により足の指と指の間を隔離し、通気性の向上を可能にした事を特徴とする、水虫予防、改善用足指隔離ボード
【考案の詳細な説明】
【技術分野】
【０００１】本考案は、性質の違う素材を組み合わせる事により、本体の強度、通気性、緩衝性を同時に実現した構成材を用いて当該図面表示の形状に加工し、此を以て足の指と指の間を隔離し、其の通気性を高め、水虫の予防改善を目的とするボードに関するものである。
【背景技術】
【０００２】現在、日本人の多くが水虫を患っているが、この原因を考察するに、日本の高温多湿な気候が靴蒸れを引き起こしているのである。靴蒸れとは、靴内部での換気が悪く、代謝に因り生じた水蒸気が靴内に蓄積している状態である。
此は、靴の内部、殊に爪先に於て足の指が靴下に因って引き絞られて互いに密着する状態が結果的に靴の内部の換気、対流及び水蒸気の排出を阻害し、最終的には水虫の惹起に関与しているのである。
従来、対症療法として水虫薬が市販されているが、前述した靴蒸れに対する根本的な改善は成されなかったのである。
【考案の開示】
【考案が解決しようとする課題】
【０００３】靴及び靴下を用いないのが１番確実な予防、改善方法であるが、靴の着用が一般化した現在の日本では、其は困難である。
又、市販の水虫治療用の塗付薬剤は、其自体は有効であるにも関らず、靴内部での靴蒸れ、及び指の密着状態は依然として継続している為、結局、治療効果が減殺されているのである。
そこで、靴を履いた状態で尚、靴内部での靴蒸れを防ぐ為に、足の指と指の間を隔離し、通気性を高める事で前述の課題を解決しようとするものである。
【課題を解決するための手段】
【０００４】以下、添付図面に従って説明する。
本考案は、厚さ１０ミリのスポンジを、厚さ１ミリのゴム皮膜を以てサンドイッチ状に前後から挟んでいる物である。
弾性の高いゴム皮膜は、指の間の隔離に必要となる本体の強度を確保する為のものである。図２の１ａ、１ｂがゴム皮膜、２がスポンジである。
軟質、多孔性のスポンジは、副次的に隔離の為にも機能するが、主目的は装着時の通気性、緩衝性を確保する為のものである。
ゴムだけで本考案を実施した場合、材質の弾性により強度を確保できる反面、通気性に劣り、又、緩衝性が不足し、靴底からの衝撃がボードを介し指に与える影響が強く、却って装着者の指を痛める恐れが有る。
しかしスポンジのみで実施すれば、通気性と緩衝性を確保できる反面、本体強度が不足し、結果、本来の目的たる指の隔離が不十分になる恐れが有る。
そこで、高弾性のゴム皮膜と軟質、多孔性のスポンジを組み合わせる事により、強度、通気性、緩衝性を同時に確保、実現するものである。
そして、前述の構成材を図３の形状に加工し、作成したボードの性質、及び形状により、指の間を隔離し、通気性を高める事で問題点を解決する。
【考案の効果】
【０００５】上述の様に、本考案の実施により、足の指の間の隔離は実現するが、この効果は靴下、及び靴を着用した状態でも発揮されるのである。
ボード本体の性質、及び形状により、装着者の指を隔離しつつ、靴下、及び靴の着用で生じる圧迫に対抗する事が可能であり、以て靴蒸れ、及び足の指同士の密着による水虫の予防、改善に役立つ。
【考案を実施するための最良の形態】
【０００６】以下、添付図面に従って説明する。図１はボードを正面から見た状態である。
ボードに有る３つの穴は、足の人差指、中指、薬指を通す為のものである。
尚、ボード外縁と穴の間には隙間を設ける。此はボードの装着を容易にする為と、ボード本体の指に対する圧迫を防ぐ為の空間的余裕を得る為である。
図２はボードを側面から見た状態である。前述した事を繰り返すが、１ａ、及び１ｂはゴム皮膜であり、２はスポンジ部分である。
尚、図中の点線は、図１に示した穴がボード内をどの様に通るかを示したものである。
図３は、正面図、及び側面図では理解しづらい本考案の形状を、斜めから見た状態である。尚、ボード左右両端の曲線形状は、ボード装着時に親指、及び小指をボードからズレさせず、適切な位置に対応させる為の機能的形状であって、製図の歪みではない。
尚、ボードの穴と外縁の間の隙間の幅は１ミリである。
【実施例】
【０００７】以下、添付図面に従って説明する。
先ず、素足の状態でボードを足の指に装着する。
ボードの穴には、前述した様に人差指、中指、薬指を通す。
図４は指に装着したボードを上から見た状態である。
この状態で、靴下及び靴を着用する。
【図面の簡単な説明】
【０００８】
【図１】本考案のボードを正面から見た状態の図である。
【図２】本考案のボードを側面から見た状態の図である。
【図３】本考案のボードを斜めから見た状態の図である。
【図４】本考案のボードを装着した指を上から見た状態の図である。
【符号の説明】
【０００９】１ａ  ゴム皮膜
１ｂ  ゴム皮膜
２  スポンジ部分
【図１】
0003144135.tif 000003
【図２】
0003144135.tif 000004
【図３】
0003144135.tif 000005
【図４】
0003144135.tif 000006
【手続補正書】
【提出日】平成20年2月20日(2008.2.20)
【手続補正１】
【補正対象書類名】実用新案登録請求の範囲
【補正対象項目名】全文
【補正方法】変更
【補正の内容】
【実用新案登録請求の範囲】
【請求項１】
強度を得る事を目的とした厚さ１ミリの高弾性のゴム皮膜で、通気性、緩衝性を得る事を目的とした厚さ１０ミリの軟質多孔性のスポンジを両面から挟む様にサンドイッチ状に組み合わせ、厚さ１２ミリの板状にする。
此によってボード本体の強度、通気性、緩衝性を同時に実現し、更に此を当該考案に於ける図３の表示形状に加工する。
尚、図面を引用する事無く本考案の具体的構成を明確にする為、以下形状及び組み合わせについて文章で説明する。
本考案のボードは横に長い楕円に近い形状だが、此は足の指に対応する為の形状である。更にボード両側が中央に向い、ややヘコんでいるが此はボード端に接する親指と小指をボードからズレさせず適切な位置に対応させる為の形状である。
ボードには横に並んで穴が３つ開いているが、此は足の指の内、人差指、中指、薬指を通す為のものである。穴の上部には幅１ミリの隙間が有るが此は穴とボード外縁部の間を通っている隙間である。此はボードの装着を容易にする為とボード本体の指に対する圧迫を防ぐ為の空間的余裕を持たせる為のものである。
以上に述べたボードの性質、及び形状により、足の指と指の間を隔離し、通気性の向上を可能にした事を特徴とする水虫予防、改善用足指隔離ボード
【手続補正書】
【提出日】平成20年5月21日(2008.5.21)
【手続補正１】
【補正対象書類名】実用新案登録請求の範囲
【補正対象項目名】全文
【補正方法】変更
【補正の内容】
【実用新案登録請求の範囲】
【請求項１】
強度を得る事を目的とした厚さ１ミリの高弾性のゴム皮膜で、通気性、緩衝性を得る事を目的とした厚さ１０ミリの軟質多孔性のスポンジを両面から挟む様にサンドイッチ状に組み合わせ、厚さ１２ミリの板状にし、
上記構造物において、
（１）本考案のボードは横に長い楕円に近い形状に加工するが、此は足の指に対応させる為の形状な訳で、
（２）ボード両端が中央に向い、ややヘコんでいるが、此はボード両端に接する親指と小指をボードからズレさせず適切な位置に対応させる為の形状な訳で、
（３）ボードには横に並んで穴が３つ開いているが、此は足の指の内、人差指、中指、薬指を通す為のものな訳で、
（４）穴の上部には幅１ミリの隙間が有るが、此は穴とボード外縁部の間を通っている隙間であり、此はボードの装着を用意にする為と、ボード本体の指に対する圧迫を防ぐ空間的余裕を持たせる為のものな訳で、
以上に述べたボードの性質、及び形状により、足の指と指の間を隔離し、通気性の向上を可能にした事を特徴とする、水虫予防、改善用足指隔離ボード。